(57)【要約】【課題】搬送途中のシートに詰まり（いわゆるジャム）が生じた際に，上流側搬送ローラと下流側搬送ローラとの間に該シートを容易に摘むことのできる撓み部分が形成でき，これにより，ジャムの生じたシートを容易に除去できるシート搬送装置を提供すること。【解決手段】シートＰの搬送方向上流側の上流側搬送ローラ１８及び前記シートＰの搬送方向下流側の下流側搬送ローラ１９を駆動モータにより回転させて前記シートＰを搬送するシート搬送装置Ｘ１において，前記駆動モータが停止している状態で，前記上流側及び下流側搬送ローラ１８，１９に回転を伝達して，前記上流側及び下流側搬送ローラ１８，１９を，前記シートＰの搬送方向下流方向へ回転させる手動操作機構Ｈを具備してなり，該手動操作機構Ｈによる前記上流側搬送ローラ１８の周速度Ｖ１が，前記下流側搬送ローラ１９の周速度Ｖ２よりも大きく設定されてなる。【選択図】図２
2009161339.tif 000002
【特許請求の範囲】
【請求項１】
シートの搬送方向上流側の上流側搬送ローラ及び前記シートの搬送方向下流側の下流側搬送ローラを駆動モータにより回転させて前記シートを搬送するシート搬送装置において，
前記駆動モータが停止している状態で，前記上流側及び下流側搬送ローラに回転を伝達して，前記上流側及び下流側搬送ローラを，前記シートの搬送方向下流方向へ回転させる手動操作機構を具備してなり，
該手動操作機構による前記上流側搬送ローラの周速度が，前記下流側搬送ローラの周速度よりも大きく設定されてなるシート搬送装置。
【請求項２】
前記手動操作機構が，
前記上流側搬送ローラと一体の上流側搬送ローラ軸に取り付けられた上流側回転部材と，
前記下流側搬送ローラと一体の下流側搬送ローラ軸に取り付けられた下流側回転部材と，
前記上流側又は下流側回転部材を，前記シートの搬送方向下流方向へ回転させるための手動操作部材と，
前記上流側回転部材と前記下流側回転部材とを同期回転可能に連結する回転連結部材と，
前記上流側及び下流側回転部材と，前記上流側及び下流側搬送ローラ軸との間に介在し，前記上流側及び下流側回転部材の，前記シートの搬送方向下流方向への回転のみを，前記上流側及び下流側搬送ローラ軸へ伝達するワンウェイクラッチと，
を具備してなる請求項１に記載のシート搬送装置。
【請求項３】
前記上流側及び下流側回転部材がプーリーによって構成され，且つ，前記回転連結部材が前記プーリーに懸け渡されたプーリーベルトによって構成され，
前記上流側回転部材と前記下流側回転部材との間のプーリー比が，前記上流側搬送ローラが前記駆動モータの停止中に回転する際の周速度が前記下流側搬送ローラが回転する際の周速度よりも大きな周速比を得るプーリー比に設定されてなる請求項２に記載のシート搬送装置。
【請求項４】
前記上流側及び下流側回転部材がギアによって構成され，且つ，前記回転連結部材が前記ギアと噛み合う歯付ベルトによって構成され，
前記上流側回転部材と前記下流側回転部材との間のギア比が，前記上流側搬送ローラが前記駆動モータの停止中に回転する際の周速度が前記下流側搬送ローラが回転する際の周速度よりも大きな周速比を得るギア比に設定されてなる請求項２に記載のシート搬送装置。
【請求項５】
前記上流側搬送ローラのローラ径が，前記下流側搬送ローラのローラ径よりも大きく設定されてなる請求項１〜４のいずれかに記載のシート搬送装置。
【発明の詳細な説明】
【技術分野】
【０００１】
本発明は，上流側及び下流側搬送ローラを具備するシート搬送装置に関し，搬送途中のシートに詰まり（いわゆるジャム）が生じた際に，上流側搬送ローラと下流側搬送ローラとの間に該シートを容易に摘むことのできる撓み部分が形成でき，これにより，ジャムの生じたシートを容易に除去できるシート搬送装置に関するものである。
【背景技術】
【０００２】
従来より，プリンタや複写機，ファクシミリ装置，これらの複合機などの電子写真方式の画像形成装置は，記録紙カセット或いは手差しトレイ等から画像形成部に至る部分や，原稿を読み取って画像データを生成する画像読取系等，原稿や記録紙を搬送するためのシート搬送装置を具備している。
このようなシート搬送装置は，特に大型の画像形成装置にあっては，シートの搬送方向上流側及びシートの搬送方向下流側に，上流側搬送ローラ（例えば図１における搬送ローラ対１８）及び下流側搬送ローラ（例えば図１におけるレジストローラ対１９）を備え，これら上流側及び下流側搬送ローラを，各々に対応して設けられた駆動モータ（例えば図１における駆動モータＭ１，Ｍ２）で回転させている。
下記特許文献１では，この種のシート搬送装置が提案されており，該シート搬送装置は，上流側及び下流側搬送ローラのそれぞれに対応した駆動モータ，前記上流側搬送ローラと一体の上流側搬送ローラ軸に取り付けられた上流側回転伝達系，前記下流側搬送ローラと一体の下流側搬送ローラ軸に取り付けられた下流側回転伝達系，を備えている。
この種のシート搬送装置は，該シート搬送装置を組み込んだ画像形成装置における画像形成処理等の際には，前記上流側及び前記下流側回転伝達系が前記駆動モータの回転を前記上流側及び下流側搬送ローラ軸に伝達して，前記上流側及び下流側搬送ローラを回転させる。
また，前記シート搬送装置は，搬送されるシートが詰まった際（つまりジャムが生じた際）に，前記駆動モータが停止している状態で，ジャムの生じたシートを除去するためのジャム処理用回転伝達系を具備している。
このようなジャム処理用回転伝達系では，操作ノブ等の手動操作手段を備え，その回転が前記上流側及び下流側回転伝達系に伝達され，前記上流側及び下流側回転伝達系が前記上流側及び下流側搬送ローラを回転させて，前記ジャムの生じたシートを，前記シートの搬送方向下流方向に搬送させ，前記シートの先端部を，取り出し位置である所定位置に到達させることによって，ユーザが該シートの先端部を把持して，ジャムの生じたシートを除去できるようにしている。
【特許文献１】特許第３２０７５０４号公報
【発明の開示】
【発明が解決しようとする課題】
【０００３】
ところで，ジャムの生じたシートは，前記シートの先端部に破れや折れ等の破損部分が生じている傾向があり，その状態で，該シートを前記搬送方向下流方向に搬送すると，該シートの先端部が前記所定位置に到達せずに，前記下流側搬送ローラとこれより下流側のシート搬送路との間の隙間等に進入することがあり，そのため，前記シートの先端部を把持してジャムの生じたシートを除去することが困難となる問題がある。
また，前記シート搬送路が屈曲又は湾曲している場合には，前記シートの先端部が前記シート搬送路に到達したとしても，該先端部をそのまま前記シート搬送路に送りこんでゆくと，該先端部が該シート搬送路内で引っ掛かり，ジャムの生じたシートを取り出せる前記所定位置に到達させることが困難な場合がある。
このような状況に至らないようにするには，前記シートの先端部を前記所定位置に到達させるのではなく，前記上流側搬送ローラと前記下流側搬送ローラとの間で前記シートを撓ませ，容易に摘むことのできる部分（以下，摘み部分と称す）を形成することが望ましいが，上記特許文献１はこのような点が全く考慮されていない。
例えば，上記特許文献１では，前記下流側搬送ローラを前記上流側搬送ローラの周速度よりも大きな周速度で回転させて，前記上流側搬送ローラと前記下流側搬送ローラとの間で該シートの撓みを減らしながら，前記シートを搬送しているため，前記シートが前記上流側搬送ローラと前記下流側搬送ローラとの間で張り詰めた状態となる。
その状態で，前記上流側搬送ローラと前記下流側搬送ローラとの間において，前記シートの張力に逆らって前記シートを引き抜こうとすると，前記シートが破れてしまい除去することが余計に困難となる。
【０００４】
従って，本発明は上記事情に鑑みてなされたものであり，その目的とするところは，上流側及び下流側搬送ローラを具備するシート搬送装置において，搬送途中のシートに詰まり（いわゆるジャム）が生じた際に，前記上流側搬送ローラと前記下流側搬送ローラとの間で該シートに摘み部分が簡単に形成でき，これにより，ジャムの生じたシートを容易に除去できるシート搬送装置を提供することにある。
【課題を解決するための手段】
【０００５】
上記目的を達成するために本発明は，
シートの搬送方向上流側の上流側搬送ローラ及び前記シートの搬送方向下流側の下流側搬送ローラを駆動モータにより回転させて前記シートを搬送するシート搬送装置において，
前記駆動モータが停止している状態で，前記上流側及び下流側搬送ローラに回転を伝達して，前記上流側及び下流側搬送ローラを，前記シートの搬送方向下流方向へ回転させる手動操作機構を具備してなり，
該手動操作機構による前記上流側搬送ローラの周速度が，前記下流側搬送ローラの周速度よりも大きく設定されてなるシート搬送装置に係る発明である。
本発明においては，前記駆動モータが停止している状態で前記手動操作機構によって，前記上流側及び下流側搬送ローラが前記シートの搬送方向下流方向へ回転する際に，前記上流側搬送ローラが前記下流側搬送ローラの周速度よりも大きな周速度で回転する。
そのため，ジャムの生じたシートにおいて，前記上流側搬送ローラによって前記搬送方向下流方向に搬送される搬送量のほうが，前記下流側搬送ローラによって搬送方向下流方向に搬送される搬送量よりも大きくなるので，前記上流側搬送ローラと前記下流側搬送ローラとの間で前記シートに撓みが生じる。
したがって，本発明によれば，上流側及び下流側搬送ローラを具備するシート搬送装置に関し，搬送途中のシートに詰まり（いわゆるジャム）が生じた際に，前記上流側搬送ローラと前記下流側搬送ローラとの間に該シートに摘み部分が形成でき，これにより，ジャムの生じたシートを容易に除去できる。
【０００６】
そして，前記手動操作機構は，
前記上流側搬送ローラと一体の上流側搬送ローラ軸に取り付けられた上流側回転部材と，
前記下流側搬送ローラと一体の下流側搬送ローラ軸に取り付けられた下流側回転部材と，
前記上流側又は下流側回転部材を，前記シートの搬送方向下流方向へ回転させるための手動操作部材と，
前記上流側回転部材と前記下流側回転部材とを同期回転可能に連結する回転連結部材と，
前記上流側及び下流側回転部材と，前記上流側及び下流側搬送ローラ軸との間に介在し，前記上流側及び下流側回転部材の，前記シートの搬送方向下流方向への回転のみを，前記上流側及び下流側搬送ローラ軸へ伝達するワンウェイクラッチと，
を具備することで具現化できる。
【０００７】
そして，前記手動操作機構については，
前記上流側及び下流側回転部材がプーリーによって構成され，且つ，前記回転連結部材が前記プーリーに懸け渡されたプーリーベルトによって構成され，
前記上流側回転部材と前記下流側回転部材との間のプーリー比が，前記上流側搬送ローラが前記駆動モータの停止中に回転する際の周速度が前記下流側搬送ローラが回転する際の周速度よりも大きな周速比を得るプーリー比に設定されてなるものが考えられる。
また，前記手動操作機構については，
前記上流側及び下流側回転部材がギアによって構成され，且つ，前記回転連結部材が前記ギアと噛み合う歯付ベルトによって構成され，
前記上流側回転部材と前記下流側回転部材との間のギア比が，前記上流側搬送ローラが前記駆動モータの停止中に回転する際の周速度が前記下流側搬送ローラが回転する際の周速度よりも大きな周速比を得るギア比に設定されてなるものが採用され得る。
これは，前記駆動モータの停止中に，前記手動操作機構によって前記上流側及び下流側搬送ローラを前記シートの搬送方向下流方向へ回転させることができ，且つ，前記手動操作機構による前記上流側搬送ローラの周速度を，前記下流側搬送ローラの周速度よりも大きく設定できるからである。
【０００８】
また，別の方法として，本発明における前記上流側搬送ローラのローラ径を，前記下流側搬送ローラのローラ径よりも大きく設定することが考えられる。前記上流側搬送ローラのローラ径が前記下流側搬送ローラのローラ径よりも大きく設定されていれば，前記手動操作機構による前記上流側搬送ローラの周速度が前記下流側搬送ローラの周速度よりも大きくできるからである。
【発明の効果】
【０００９】
本発明によれば，前記駆動モータが停止している状態で，ユーザが，手動操作機構によって，前記上流側及び下流側搬送ローラを前記シートの搬送方向下流方向へ回転させる際に，前記上流側搬送ローラが前記下流側搬送ローラの周速度よりも大きな周速度で回転する。
そのため，前記上流側搬送ローラによって前記搬送方向下流方向に搬送される搬送量のほうが，前記下流側搬送ローラによって前記搬送方向下流方向に搬送される搬送量よりも大きくなるので，前記上流側搬送ローラと前記下流側搬送ローラとの間で前記シートに撓みが生じる。
したがって，本発明によれば，上流側及び下流側搬送ローラを具備するシート搬送装置に関し，搬送途中のシートに詰まり（いわゆるジャム）が生じた際に，前記上流側搬送ローラと前記下流側搬送ローラとの間で該シートに摘み部分が形成でき，これにより，ジャムの生じたシートを容易に除去できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るシート搬送装置Ｘ１を含んだ画像形成部Ｘの主要部を示す断面図，図２は本発明の実施の形態に係るシート搬送装置Ｘ１の作用及び効果を説明するための概略側面図，図３は第１の実施形態に係るシート搬送装置Ｘ１−１の概略平面図と概略側面図，図４は第２の実施形態に係るシート搬送装置Ｘ１−２の概略平面図と概略側面図，図５は転写ベルト回転ローラ１７の周辺部材を含んだ第３の実施形態に係るシート搬送装置Ｘ１−３の概略平面図と概略側面図である。
【００１１】
まず，図１を参照しつつ，本発明の全実施形態に適用されるシート搬送装置Ｘ１を含んだ画像形成部Ｘの構成について説明する。
図１で図示するような画像形成部Ｘは，プリンタや複写機，ファクシミリ装置，これらの複合機などの電子写真方式の画像形成装置に設けられている。
図１に示すように，画像形成部Ｘは，その表面にトナー像を担持する感光ドラム１０，その感光ドラム１０の表面を一様に帯電させる帯電部１１，前記感光ドラム１０表面にレーザ光を照射させ，その照射光によって露光することにより静電潜像を書き込む露光部１２，その静電潜像にトナー剤（現像剤の一例）を供給することによりトナー像として現像する現像部１３，現像部１３により現像されたトナー像の濃度を検出する濃度検出部１４，感光ドラム１０表面に現像されたトナー像を除去するクリーニング部１５，転写ベルト回転ローラ１７，１７に懸け渡され，これらの転写ベルト回転ローラ１７，１７により回転駆動されて，シート搬送装置Ｘ１から搬送された記録紙（前記シートの一例）を搬送して，感光ドラム１０表面に形成されたトナー像を転写させる転写ベルト１６を備えて概略構成される。
なお，本実施形態に係るシート搬送装置Ｘ１は，図示しない記録紙カセット或いは手差しトレイから前記画像形成部Ｘに至る部分に設けられた記録紙搬送系として機能する。
しかしながら，このようなシート搬送装置Ｘ１は，前記記録紙搬送系としてのみではなく，原稿（前記シートの一例）を読み取って画像データを生成する画像読取系，該画像読取系により原稿両面を読み取って画像データを生成するために，前記画像読取系により表面を読み取った原稿（前記シートの一例）を反転させて再度画像読取系に搬送するための原稿反転系，前記画像形成部Ｘにより表面を現像した記録紙（前記シートの一例）を反転させて再度前記画像形成部Ｘに搬送するための記録紙反転系など，前記原稿や前記記録紙を搬送するための種々のシート搬送系に適用可能である。
【００１２】
前記シート搬送装置Ｘ１は，図示しない記録紙カセットや手差しトレイから搬送された記録紙が，駆動モータＭ１の回転伝達を受けて回転する駆動ローラ１８ａとそれに接して回転する従動ローラ１８ｂとから成る搬送ローラ対１８（本発明における上流側搬送ローラの一例）に搬送された後，更に該搬送ローラ対１８により搬送されて，上下に対向配置されたテーパー状通路を構成する搬送ガイド２０を通過する。その後，記録紙は駆動モータＭ２の回転伝達を受けて回転する駆動ローラ１９ａとそれに接して回転する従動ローラ１９ｂとから成るレジストローラ対１９（本発明における下流側搬送ローラの一例）に送り込まれる。
ここに，前記搬送ガイド２０は，上搬送ガイド２０ａと下搬送ガイド２０ｂとが前記記録紙の搬送方向に対してテーパー状に設けられて前記テーパー状通路を構成しており，前記上搬送ガイド２０ａと前記下搬送ガイド２０ｂとで，前記記録紙の撓みを補正しながら前記搬送ローラ対１８により搬送された前記記録紙をレジストローラ対１９へ導く。
更に，前記レジストローラ対１９は，前記搬送ガイド２０を通じて送り込まれた前記記録紙を，前記感光ドラム１０表面上にトナー像が現像されるのに同期して，前記感光ドラム１０表面と前記転写ベルト１６との当接部分（転写ニップ部分）に搬送する。
【００１３】
次に，前記シート搬送装置Ｘ１について図２を参照して詳述する。
該シート搬送装置Ｘ１では，前記搬送ローラ対１８及び前記レジストローラ対１９が，前記駆動モータＭ１，Ｍ２が停止した状態における手動操作によって記録紙Ｐの搬送方向下流方向に回転する。その際，前記搬送ローラ対１８の周速度Ｖ１が，前記レジストローラ対１９の周速度Ｖ２よりも大きな周速度となるよう設定されている。
そのために，前記シート搬送装置Ｘ１では，前記駆動モータＭ１，Ｍ２が停止している状態でユーザによる操作によって回転し，その回転を前記搬送ローラ対１８及び前記レジストローラ対１９に伝達して，前記搬送ローラ対１８を，前記レジストローラ対１９が回転する周速度よりも大きな周速度で回転させる手動操作機構Ｈが構成されている。
これによって，前記搬送ローラ対１８によって前記記録紙Ｐが前記搬送方向下流方向に搬送される搬送速度が，前記レジストローラ対１９によって前記記録紙Ｐが前記搬送方向下流方向に搬送される搬送速度よりも大きくなり，そのため，前記搬送ローラ対１８によって搬送方向下流方向に搬送される記録紙Ｐの搬送量が，前記レジストローラ対１９によって搬送方向下流方向に搬送される記録紙Ｐの搬送量よりも大きくなる。
従って，前記搬送ローラ対１８と前記レジストローラ対１９との間で前記記録紙Ｐが撓み，そのため，前記搬送ローラ対１８と前記レジストローラ対１９との間に，図２に示すような摘み部分が形成できるため，容易に該記録紙Ｐを摘んで除去できる。
ここで，前記シート搬送装置Ｘ１では，前記手動操作機構Ｈの手動操作における前記搬送ローラ対１８の周速度Ｖ１及び前記レジストローラ対１９の周速度Ｖ２の設定において，前記レジストローラ対１９による搬送速度を殆ど「０」に近くなるように設定しておけば，前記レジストローラ対１９による前記記録紙Ｐの搬送量が「０」に近くなるため，ジャムの生じたシートを手動操作によって搬送する際に，前記記録紙Ｐの先端部が前記隙間Ｓに進入し難くなり，且つ，前記シート搬送路２１内で引っ掛かりが生じ難くなり，そのため，記録紙Ｐの除去がより容易となる。
従って，たとえ，画像形成処理の途中で，前記記録紙Ｐの先端部が前記隙間Ｓに進入したり前記シート搬送路２１内で引っ掛かりが生じてジャムとなり，前記記録紙Ｐの搬送が停止しても，前記手動操作機構Ｈの手動操作によって，前記記録紙Ｐのジャムを悪化させることなく，前記搬送ローラ対１８と前記レジストローラ対１９との間で前記記録紙Ｐに摘み部分が形成できるため，ユーザが該摘み部分を摘んで容易に除去できる。
【００１４】
以下，全実施形態に適用可能な前記シート搬送装置Ｘ１の具体例を，第１の実施形態のシート搬送装置Ｘ１−１，第２の実施形態のシート搬送装置Ｘ１−２，第３の実施形態のシート搬送装置Ｘ１−３と分けて詳述する。尚，以下の説明中で用いる用語「上流側」とは前記シートの搬送方向上流側のことを意味し，用語「下流側」とは前記シートの搬送方向下流側のことを意味している。
［第１の実施形態］
まず，シート搬送装置Ｘ１−１について図３に基づいて説明する。ここに，図３（ａ）はシート搬送装置Ｘ１−１の従動ローラ１８ｂ，１９ｂを省略した概略平面図，図３（ｂ）は図３（ａ）における操作ノブ２８（本発明における手動操作部材の一例）を省略したシート搬送装置Ｘ１−１の概略側面図である。
このようなシート搬送装置Ｘ１−１では，手動操作機構Ｈ１が，プーリー２４（本発明における上流側回転部材の一例），プーリー２５（本発明における下流側回転部材の一例），操作ノブ２８（本発明における手動操作部材の一例），プーリーベルト２６（本発明における回転連結部材の一例），ワンウェイクラッチ２２−１，２３，を備えて概略構成される。
以下，このような手動操作機構Ｈ１を具備するシート搬送装置Ｘ１−１の構成を詳述する。
前記シート搬送装置Ｘ１−１では，前記駆動ローラ１８ａと一体となった上流側駆動ローラ軸（本発明における上流側搬送ローラ軸の一例）１８ａ１が，図示しない基台と一体の側板２７に設けられた軸支持部２７ａ１に，図示しない軸受を介して回転自在に装着されている。
また，前記上流側駆動ローラ軸１８ａ１には，その同軸上に，ワンウェイクラッチ２２−１を介して，プーリー２４と一体となった操作ノブ２８が取り付けられている。なお，該操作ノブ２８は，前記下流側駆動ローラ軸１９ａ１（本発明における下流側搬送ローラ軸の一例）の同軸上に取り付けられることも考えられる。前記シート搬送装置Ｘ１−１は，前記操作ノブ２８が前記下流側搬送ローラ軸１９ａ１の同軸上に取り付けられても，前記手動操作機構Ｈ１が構成できるからである。
一方，前記シート搬送装置Ｘ１−１では，下流側駆動ローラ軸１９ａ１が，前記側板２７に設けられた軸支持部２７ａ２に，図示しない軸受を介して回転自在に装着されている。
また，前記下流側駆動ローラ軸１９ａ１には，その同軸上に，ワンウェイクラッチ２３を介してプーリー２５が取り付けられている。
そして，前記プーリー２４と前記プーリー２５とにプーリーベルト２６が懸け渡されており，前記プーリー２４と前記プーリー２５との間のプーリー比は，前記手動操作機構Ｈ１によって前記搬送ローラ対１８が前記駆動モータＭ１，Ｍ２の停止中に回転する際の周速度Ｖ１が，前記レジストローラ対１９が回転する際の周速度Ｖ２よりも大きな周速比を得るプーリー比に設定されている。
これにより，前記手動操作機構Ｈ１による記録紙の搬送の際に，前記搬送ローラ対１８と前記レジストローラ対１９との間に，前記記録紙Ｐの撓み部分が形成される。
ここに，前記プーリー比の設定は，前記プーリー２４のプーリー径を前記プーリー２５のプーリー径よりも小さくすることが考えられる。前記シート搬送装置Ｘ１−１は，前記手動操作機構Ｈ１によって前記搬送ローラ対１８が前記駆動モータＭ１，Ｍ２の停止中に回転する際の周速度Ｖ１として，前記手動操作機構Ｈ１によって前記駆動モータＭ１，Ｍ２の停止中に前記レジストローラ対１９が回転する際の周速度Ｖ２よりも大きな周速度を得ることができるからである。
【００１５】
前記シート搬送装置Ｘ１−１では，前記駆動モータＭ１，Ｍ２が停止中に，前記操作ノブ２８を回転させることによって，プーリーベルト２６によって連結された前記プーリー２４（前記操作ノブ２８と一体となったプーリー），２５の双方を，前記シートの搬送方向下流方向（図２では反時計回り方向）に回転させた際に，前記ワンウェイクラッチ２２−１，２３が，前記プーリー２４，２５の前記搬送方向下流方向への回転のみを前記上流側駆動ローラ軸１８ａ１及び前記下流側駆動ローラ軸１９ａ１に伝達して，前記搬送ローラ対１８及び前記レジストローラ対１９を前記搬送方向下流方向に前記プーリー比で回転させるよう構成されている。
ここに，「前記駆動モータＭ１，Ｍ２が停止中」とは，前記シート搬送装置Ｘ１−１において，別個クラッチ等によって駆動モータＭ１，Ｍ２と前記搬送ローラ対１８及び前記レジストローラ対１９との連結が断たれ，前記搬送ローラ対１８及び前記レジストローラ対１９が自由に回転し得る状態のことをいう。
但し，前記ワンウェイクラッチ２２−１，２３は，画像形成処理時に，前記搬送ローラ対１８及びレジストローラ対１９の前記搬送方向下流方向への回転が，前記操作ノブ２８に伝達されないようにするために，前記プーリー２４，２５を，前記シートの搬送方向上流方向(図２では時計回り方向)に逆回転させた際には，その回転が前記上流側駆動ローラ軸１８ａ１及び前記下流側駆動ローラ軸１９ａ１に伝達せずに前記プーリー２４，２５が空転するように，一方向への回転のみを伝達するように構成されている。
【００１６】
即ち，シート搬送装置Ｘ１−１では，前記駆動モータＭ１の駆動により，前記上流側駆動ローラ軸１８ａ１が回転するとともに，前記駆動モータＭ２の駆動により前記下流側駆動ローラ軸１９ａ１が回転してシートを搬送する際には，前記プーリー２４，２５は，前記ワンウェイクラッチ２２−１，２３によって，前記上流側駆動ローラ軸１８ａ１及び前記下流側駆動ローラ軸１９ａ１を基準として空転する。これによって，前記操作ノブ２８の回転が阻止され，且つ，駆動モータＭ１，Ｍ２の負荷を軽減できる。
一方，駆動モータＭ１，Ｍ２が停止している状態では前記のように，前記上流側駆動ローラ軸１８ａ１又は前記下流側駆動ローラ軸１９ａ１と同軸上に取り付けられた前記操作ノブ２８を，前記シートの搬送方向下流方向へ回転させた際に，前記上流側駆動ローラ軸１８ａ１及び前記下流側駆動ローラ軸１９ａ１が，前記プーリー２４，２５に架け渡された前記プーリーベルト２６によって同時に回転するので，前記シート搬送装置Ｘ１で生じたジャムを除去できる。
その際，前記プーリー２４と前記プーリー２５との間のプーリー比が，前記搬送ローラ対１８が前記手動操作機構Ｈ１により前記駆動モータＭ１，Ｍ２の停止中に回転する際の周速度Ｖ１が，前記レジストローラ対１９が前記手動操作機構Ｈ１により前記駆動モータＭ１，Ｍ２の停止中に回転する際の周速度Ｖ２よりも大きな周速度を得るプーリー比に設定されているので，図２において説明したような前記記録紙Ｐに撓みを形成する作用及び効果を奏することができる。
尚，本実施形態では，前記手動操作機構Ｈ１が，前記プーリー２４，２５にプーリーベルト２６を懸け渡した構成とされているが，前記上流側駆動ローラ軸１８ａ１及び前記下流側駆動ローラ軸１９ａ１に図示しないギア（前記回転部材の一例）を取り付けて，それぞれのギアに歯付ベルト（前記回転連結部材の一例）を懸け渡した構成，あるいは，これらのギアを中間ギアで連結するような構成とすることも考えられる。
前記シート搬送装置Ｘ１−１は，このような構成の前記手動操作機構Ｈ１とされても，前記上流側駆動ローラ軸１８ａ１側のギアと前記下流側駆動ローラ軸１９ａ１側のギアとの間でなすギア比が，前記搬送ローラ対１８が前記手動操作機構Ｈ１により前記駆動モータＭ１，Ｍ２の停止中に回転する際の周速度Ｖ１が，前記レジストローラ対１９が前記手動操作機構Ｈ１により前記駆動モータＭ１，Ｍ２の停止中に回転する際の周速度Ｖ２よりも大きな周速度を得るギア比に設定されていれば，図２において説明したような前記記録紙Ｐに撓みを形成する作用及び効果を奏することができる。
このようなギア比は，前記上流側駆動ローラ軸１８ａ１側のギアの径と，前記下流側駆動ローラ軸１９ａ１側のギアの径との間の比率であるから，ユーザが適宜歯車を交換すること等で変化させることができる。
【００１７】
また，前記シート搬送装置Ｘ１−１では，前記手動操作機構Ｈ１によって前記駆動モータＭ１，Ｍ２の停止中に回転する前記搬送ローラ対１８の周速度を，前記レジストローラ対１９の周速度よりも大きくするため，前記搬送ローラ対１８のローラ径を前記レジストローラ対１９のローラ径よりも小さくすることも考えられる。この場合でも，図２で説明したような前記記録紙Ｐに撓みを形成する作用及び効果を奏することができるからである。
［第２の実施形態］
次に，シート搬送装置Ｘ１−２について図４に基いて説明する。ここに，図４（ａ）はシート搬送装置Ｘ１−２の従動ローラ１８ｂ，１９ｂを省略した概略平面図，図４（ｂ）は図４（ａ）における操作ノブ２８を省略した概略側面図である。
なお，前記シート搬送装置Ｘ１−１と共通の部材については同一符号を付して説明を省略する。
該シート搬送装置Ｘ１−２では，手動操作機構Ｈ２が，歯車２９（本発明における上流側回転部材の一例），遊び歯車３１，歯車３０（本発明における下流側回転部材の一例），前記操作ノブ２８，前記歯車２９の前記搬送方向下流方向への回転のみを前記上流側駆動ローラ軸１８ａ１に伝達するワンウェイクラッチ２２−２，を備えて概略構成される。
そして，前記歯車２９と前記歯車３０との間のギア比は，前記搬送ローラ対１８が前記駆動モータＭ１，Ｍ２の停止中に回転する際の周速度が，前記レジストローラ対１９が前記駆動モータＭ１，Ｍ２の停止中に回転する際の周速度よりも大きな周速比を得るギア比に設定されている。このようなギア比は，前記上流側駆動ローラ軸１８ａ１側のギアの径と，前記下流側駆動ローラ軸１９ａ１側のギアの径との間の比率であるから，ユーザが適宜歯車を交換すること等で変化させることができる。
以下，このような手動操作機構Ｈ２を具備する本実施形態のシート搬送装置Ｘ１−２の構成を詳述する。
【００１８】
前記シート搬送装置Ｘ１−２では，通常のシート搬送の際（ジャム処理以外の際）には，駆動ローラ１８ａと一体の上流側駆動ローラ軸１８ａ１に摺動自在に取り付けられた操作ノブ２８が前記弾性体３３により，側面２７に対して垂直方向且つ側面２７から遠ざかる方向に常時付勢を受けて，操作ノブ２８と一体となった歯車２９（前記上流側回転部材の一例）が，遊び歯車３１と噛み合っていない状態となる（図４（ａ）の実線にて表示）。
このような構成において，前記通常のシート搬送の際には，前記駆動モータＭ１の駆動により前記上流側駆動ローラ軸１８ａ１が回転するとともに前記駆動モータＭ２の駆動により前記下流側駆動ローラ軸１９ａ１が回転する。
但し，駆動モータＭ１，Ｍ２により前記上流側駆動ローラ軸１８ａ１及び前記下流側駆動ローラ軸１９ａ１が回転した状態でも，前記通常のシート搬送の際には，前記したように，操作ノブ２８と一体となった歯車２９が遊び歯車３１と噛み合っていない状態なので，前記上流側駆動ローラ軸１８ａ１の回転により前記操作ノブ２８が回転しても，その回転が，操作ノブ２８が取り付けられていない下流側駆動ローラ軸１９ａ１に伝達されない。
したがって，前記第１の実施形態におけるシート搬送装置Ｘ１−１のような，前記下流側駆動ローラ軸１９ａ１とプーリー２５との間に設けられたワンウェイクラッチ２３が不要であり，コストダウンが図れ，且つ，駆動モータＭ１の負荷を軽減できる。
一方，ジャム処理の際には，前記駆動モータＭ１，Ｍ２が停止中に，操作ノブ２８を矢印で示す側板２７方向に押し込めば，操作ノブ２８と一体となった歯車２９が前記弾性体３３の付勢に反して側板２８方向に移動して，遊び歯車３１と噛み合う（図４の破線で表示）。ここに，「前記駆動モータＭ１，Ｍ２が停止中」とは，前記シート搬送装置Ｘ１−２において，別個のクラッチ等によって駆動モータＭ１，Ｍ２と前記搬送ローラ対１８及び前記レジストローラ対１９との連結が断たれ，前記搬送ローラ対１８及び前記レジストローラ対１９が自由に回転し得る状態のことをいう。
この状態で前記操作ノブ２８を，該操作ノブ２８の平面視における前記搬送方向下流方向（図４では反時計回り方向）に回転した際には前記歯車２９が同方向に回転する。そして，前記遊び歯車３１が，該遊び歯車３１の平面視における前記搬送方向上流方向（図４では時計回り方向）に回転して前記歯車２９の回転を前記歯車３０に伝達する。
これにより，前記駆動モータＭ１，Ｍ２が停止した状態で前記操作ノブ２８を側板２７方向に押し込み，その状態で前記操作ノブ２８を，前記搬送方向下流方向に回転させることによって，前記歯車２９及び前記歯車３０を前記搬送方向下流方向に回転させることができる。
その際，前記歯車２９と前記歯車３０との間のギア比は，前記搬送ローラ対１８が前記駆動モータＭ１，Ｍ２の停止中に回転する際の周速度が，前記レジストローラ対１９が前記駆動モータＭ１，Ｍ２の停止中に回転する際の周速度よりも大きな周速比を得るギア比に設定されているので，図２で説明したような前記記録紙Ｐに撓みを形成する作用及び効果を奏することができる。
逆に，前記操作ノブ２８を側板２７方向に押し込んだ状態で前記搬送方向とは逆方向へ回転させた際には，前記したように，前記ワンウェイクラッチ２２−２は前記歯車２９の前記逆方向への回転を前記上流側駆動ローラ軸１８ａ１へ伝達しないので，前記操作ノブ２８が空転する。
一方，前記操作ノブ２８を側板２７方向に押し込んだ状態では，前記歯車２９と前記遊び歯車３０とが噛み合っているので，前記操作ノブ２８を前記逆方向へ回転させた際には，その回転が前記下流側駆動ローラ軸１９ａ１へ伝達される。
そのため，前記操作ノブ２８を，前記側板２７方向に押し込んだ状態で前記逆方向に回転させた際には，前記上流側駆動ローラ軸１８ａ１の回転を止めたまま，前記下流側駆動ローラ軸１９ａ１のみを前記逆方向に回転させることができる。
そのため，前記搬送ローラ対１８と前記レジストローラ対１９との間で，前記記録紙Ｐに撓みを生じさせて摘み部分を形成することができ，ユーザがその摘み部分を摘んで該シートを容易に除去できる。
【００１９】
また，第２の実施形態におけるシート搬送装置Ｘ１−２でも，前記駆動モータＭ１，Ｍ２の停止中に前記手動操作機構Ｈ２により回転する前記搬送ローラ対１８の周速度を，前記駆動モータＭ１，Ｍ２の停止中に前記手動操作機構Ｈ２により回転する前記レジストローラ対１９の周速度よりも大きくするため，前記搬送ローラ対１８のローラ径を前記レジストローラ対１９のローラ径よりも小さくすることが考えられる。図２で説明したような前記記録紙Ｐに撓みを形成する作用及び効果を奏することができるからである。
【００２０】
［第３の実施形態］
次に，シート搬送装置Ｘ１−３について図５に基づいて説明する。ここに，図５（ａ）は，転写ベルト回転ローラ１７，１７の周辺部材を含み，前記従動ローラ１８ｂ，１９ｂを省略したシート搬送装置Ｘ１−３の概略平面図，図５（ｂ）は図５（ａ）におけるシート搬送装置Ｘ１−３の概略側面図である。
尚，前記シート搬送装置Ｘ１−１及びシート搬送装置Ｘ２−２と共通の部材については同一符号を付して説明を省略する。
前記シート搬送装置Ｘ１−３では，手動操作機構Ｈ３が，歯車３９（本発明における上流側回転部材の一例），遊び歯車４１，歯車部２８ａ（本発明における下流側回転部材の一例），噛合面２８ｂ，噛合先端部１９ａ２，操作ノブ２８，前記歯車３９の搬送方向下流方向への回転のみを上流側駆動ローラ軸１８ａ１へ伝達するワンウェイクラッチ２２−３，を備えて概略構成される。
そして，前記歯車部２８ａと前記歯車３９との間のギア比は，前記手動操作機構Ｈ３により搬送ローラ対１８が駆動モータＭ１，Ｍ２の停止中に回転する際の周速度が，前記手動操作機構Ｈ３によりレジストローラ対１９が駆動モータＭ１，Ｍ２の停止中に回転する際の周速度よりも大きな周速比を得るギア比に設定されている。
このようなギア比は，前記上流側駆動ローラ軸１８ａ１側の歯車２９の径が，下流側駆動ローラ軸１９ａ１側の歯車３０の径との間の比率であるから，ユーザが適宜歯車２９，３０を交換すること等で変化させることができる。
以下，このような手動操作機構Ｈ３を具備する本実施形態のシート搬送装置Ｘ１−３の構成を詳述する。
【００２１】
前記シート搬送装置Ｘ１−３では，前記上流側駆動ローラ軸１８ａ１には，前記歯車３９が前記ワンウェイクラッチ２２−３を介して，常時，遊び歯車（アイドルギア）４１と噛み合った状態で取り付けられている。
一方，前記下流側駆動ローラ軸１９ａ１には，操作ノブ押し出し歯車４０が一体的に取り付けられ，更に，前記操作ノブ２８が前記操作ノブ押し出し歯車４０に後述するボス部４０ｃを介して当接して取り付けられている。
全体に斜線が付されている前記操作ノブ２８は，前記操作ノブ押し出し歯車４０に当接する当接面２８ａ１を有する歯車部２８ａと，前記歯車部２８ａにおいて前記当接面２８ａ１の裏面に設けられ，且つ，複数の爪が円環状に形成された噛合面２８ｂと，ユーザが摘むことのできる摘み部２８ｃと，を備えて概略構成されている。
このような前記操作ノブ２８では，前記歯車部２８ａ及び前記噛合面２８ｂには，図示しないスプライン状の貫入孔が設けられており，前記操作ノブ２８はこれらの貫入孔によって前記下流側駆動ローラ軸１９ａ１に，軸方向に摺動自在で，且つ，相対回転不能に取り付けられている。
そして，図示しない基台と一体の側板２７には，内部に前記操作ノブ２８を収容可能な保護カバー３８が取り付けられており，該保護カバー３８と前記歯車部２８ａとの間には，前記歯車部２８ａを前記側板２７方向に付勢する弾性力を有するバネなどの弾性体３３が取り付けられており，画像形成処理中等の通常のシート搬送時においては，前記弾性体３３によって，前記歯車部２８ａが前記側板２７方向に付勢されている。そのため，前記歯車部２８ａに当接する前記操作ノブ押し出し歯車４０も，前記歯車部２８ａに押されて前記側板２７方向に付勢されている。
そのため，前記操作ノブ２８は，前記通常のシート搬送時において，前記弾性体３３の付勢によって，実線で示されているように前記保護カバー３８内に収容されている。なお，前記操作ノブ２８は，後述するジャム処理時においては，前記保護カバー３８から装置前方方向（図５では下方向）に突出するように構成されているが，この構成については後述する。
更に，前記シート搬送装置Ｘ１−３では，前記下流側駆動ローラ軸１９ａ１の先端部には，前記操作ノブ２８の前記噛合面２８ｂに設けられた爪と噛み合う複数の爪が円環状に形成された噛合先端部１９ａ２が，前記噛合面２８ｂと対向して固定されている。
前記噛合先端部１９ａ２は，後述するジャム処理時において，前記操作ノブ２８が前記保護カバー３８から，図示する二点鎖線で示すように装置前方方向に突出している際に，前記操作ノブ２８の噛合面２８ｂと噛み合って，前記操作ノブ２８と前記下流側駆動ローラ１９ａ１とが結合し，これにより，前記操作ノブ２８の回転が前記下流側駆動ローラ１９ａ１に伝達されるよう構成されている。
【００２２】
一方，前記下流側駆動ローラ軸１９ａ１よりも下流側には，前記転写ベルト回転ローラ１７，１７と前記感光ドラム１０とを接離させるための構成が設けられている。
このような構成は，図５に示すように，転写ベルト回転ローラ軸１７ａに当接したカム３４，該カム３４と一体の操作ノブ押し出しレバー３５，歯車３６，更には，前記歯車３６と噛み合う遊び歯車３７を備えている。
前記操作ノブ押し出し歯車４０は，外周上の歯車部４０ａ，前記下流側駆動ローラ軸１９ａ１が相対回転自在に貫入される貫入孔４０ｂ，該貫入孔４０ｂの周囲に一体に形成されたボス部４０ｃ，前記側板２７に形成され，前記貫入孔４０ｂを中心とする円弧状の突起部貫入孔２７ａ４に貫入される円弧状の突起部４０ｄ，を備えて概略構成される。
尚，前記ボス部４０ｃは，前記操作ノブ押し出し歯車４０の表裏両面に形成されており，一方の側面部４０ｅ側のボス部４０ｃの端面が前記側板２７に当接し，他方のボス部４０ｃの端面が前記操作ノブ２８の歯車部２８ａの側面に常時当接している。
また，前記突起部４０ｄの端面には，テーパ状の傾斜部４０ｄ１が形成されている。従って，前記突起部４０ｄは，前記操作ノブ押し出し歯車４０と一体となって回転する。
前記シート搬送装置Ｘ１−３では，操作ノブ押し出し歯車４０が，以上のように構成されているため，ジャム処理時等において駆動モータＭ１，Ｍ２と前記上流側駆動ローラ１８ａ及び前記下流側駆動ローラ１９ａとの連動が断たれている際には，前記転写ベルト駆動ローラ１７，１７と前記感光ドラム１０とを接離させる動作に伴って，以下の作用を奏することができる。
即ち，前記シート搬送装置Ｘ１−３では，前記操作ノブ押し出しレバー３５を図５（ｂ）の矢印Ｘ方向へ回転させて，前記転写ベルト回転ローラ１７，１７を前記感光ドラム１０から離間させる動作を行った際には，前記操作ノブ押し出しレバー３５に取り付けられた前記歯車３６が同方向に回転するため，前記歯車３６の回転が前記遊び歯車３７を通じて前記操作ノブ押し出し歯車４０へ伝達される。
そのため，前記操作ノブ押し出し歯車４０に固定された前記突起部４０ｄも一緒に回転し，該突起部４０ｄの前記傾斜部４０ｄ１が前記側板２７の前記突起部貫入孔２７ａ４の縁部と当接しながら回転することにより，前記傾斜部４０ｄ１の楔作用によって前記突起部４０ｄ及びこれと一体の前記操作ノブ押し出し歯車４０が前記側板２７から離れる方向（図５（ａ）の矢印Ｙ方向）へ移動する。
これにより，前記操作ノブ押し出し歯車４０と，前記ボス部４０ｃを介して当接する前記歯車部２８ａを含む前記操作ノブ２８と結合される。
この時，前記したように移動した前記操作ノブ２８の前記歯車部２８ａが，図５（ａ）に示すように，それまで離間していた前記遊び歯車４１と噛み合う。これによって，前記操作ノブ２８を手動で回転させると，その回転が，前記歯車部２８ａ，前記噛合先端部１９ａ２及び前記下流側駆動ローラ軸１９ａ１を経て，前記下流側駆動ローラ１９ａに伝達されるとともに，前記歯車部２８ａ，前記遊び歯車４１，前記歯車３９，前記ワンウェイクラッチ２２−３及び前記上流側駆動ローラ軸１８ａ１を経て，前記上流側駆動ローラ１８ａに伝達される。
従って，前記操作ノブ２８を図５（ａ）の矢印Ａ方向に手動で回転させることで，前記上流側駆動ローラ１８ａ及び前記下流側駆動ローラ１９ａが回転し，前記シートを前記搬送方向下流方向に搬送することができる。
一方，前記操作ノブ押し出しレバー３５を前記矢印Ｘ方向とは逆方向に回転させた際には，前記操作ノブ押し出しレバー３５に取り付けられた前記歯車３６が前記逆方向に回転するため，前記歯車３６の前記逆方向への回転が前記遊び歯車３７を通じて前記操作ノブ押し出し歯車４０へ伝達される。
そのため，前記傾斜部４０ｄ１の楔作用によって，前記弾性体３３に付勢された前記歯車部２８ａ（及び前記操作ノブ２８）が，前記矢印Ａ方向とは反対方向移動して，前記歯車部２８ａと前記遊び歯車４１との噛み合い，及び，前記噛合面２８ｂと前記噛合先端部１９ａ２との噛み合いが断たれる。
従って，前記操作ノブ２８を回転させても，前記上流側駆動ローラ１８ａ及び前記下流側駆動ローラ１８ｂが回転せず，前記上流側駆動ローラ１８ａ及び前記下流側駆動ローラ１８ｂと接触する前記シートを搬送することはできなくなる。
ここに，前記歯車部２８ａと前記歯車３９との間のギア比が，前記搬送ローラ対１８が前記駆動モータＭ１，Ｍ２の停止中に前記手動操作機構Ｈ３によって回転する際の周速度が，前記レジストローラ対１９が前記駆動モータＭ１，Ｍ２の停止中に前記手動操作機構Ｈ３によって回転する際の周速度よりも大きな周速比を得るギア比に設定されているので，図２で説明したような記録紙Ｐに撓み部分が形成できる作用及び効果を奏することができる。
【００２３】
一方，前記シート搬送装置Ｘ１−３は，画像形成処理時等の通常のシート搬送の際には，前記駆動モータＭ１が駆動して前記上流側駆動ローラ軸１８ａ１が回転するとともに前記駆動モータＭ２が駆動して前記下流側駆動ローラ軸１９ａ１が回転する。
その際，前記操作ノブ押し出しレバー３５が，前記転写ベルト回転ローラ１７，１７が前記転写ベルト１６を介して前記感光ドラム１０と接する図５（ｂ）の実線位置にあるので，前記突起部４０ｄが図５（ａ）に示す位置にあり，前記操作ノブ押し出し歯車４０と当接する前記操作ノブ２８は，前記弾性体３３の付勢によって，図５（ａ）に示す実線位置にあるので，前記下流側駆動ローラ軸１９ａ１との接続が遮断され空転する。
また，前記歯車部２８ａと前記遊び歯車４１とが噛み合っていないので前記歯車３９は空転する。そのため，駆動モータＭ１，Ｍ２の負担を軽減できる。
。
同時に，前記操作ノブ２８の回転が前記遊び歯車４１にも伝達され，前記遊び歯車４１の回転が前記歯車３９に伝達されて，前記歯車３９が，前記歯車３９の平面視における前記搬送方向下流方向（図５では反時計回り方向）に回転する。
そのため，前記操作ノブ２８を，前記操作ノブ２８の平面視における前記搬送方向下流方向（図５では反時計回り方向）に回転させた際に，前記搬送ローラ対１８と前記レジストローラ対１９とが，これらの平面視における前記搬送方向下流方向（図５では反時計回り方向）に回転する。
【００２４】
一方，前記操作ノブ２８と前記下流側駆動ローラ軸１９ａ１及び前記歯車３９とが結合している状態で，前記操作ノブ２８を逆方向（つまり，前記操作ノブ２８の平面視における前記搬送方向上流方向）に回転させた際には，その回転は，前記下流側駆動ローラ軸１９ａ１と前記歯車３９とには伝達されるが，前記ワンウェイクラッチ２２−３の機能により前記上流側駆動ローラ軸１８ａ１には伝達されない。
そのため，前記操作ノブ２８を逆回転させて，前記下流側駆動ローラ軸１９ａ１のみを，その平面視における前記上流側方向に回転させることによっても，前記搬送ローラ対１８と前記レジストローラ対１９との間で該シートに撓みを生じさせて該シートを除去できる。
また，前記シート搬送装置Ｘ１−３でも，前記駆動モータＭ１，Ｍ２の停止中に前記手動操作機構Ｈ３により回転する前記搬送ローラ対１８の周速度を，前記駆動モータＭ１，Ｍ２の停止中に前記手動操作機構Ｈ３により回転する前記レジストローラ対１９の周速度よりも大きくするため，前記搬送ローラ対１８のローラ径を前記レジストローラ対１９のローラ径よりも小さくすることが考えられる。図２で説明したような前記記録紙Ｐに撓み部分が形成できる作用及び効果を奏することができるからである。
【図面の簡単な説明】
【００２５】
【図１】本発明の実施の形態に係るシート搬送装置Ｘ１を含んだ画像形成部Ｘの主要部を示す断面図。
【図２】本発明の実施の形態に係るシート搬送装置Ｘ１の作用及び効果について説明するための概略側面図。
【図３】シート搬送装置Ｘ１−１の従動ローラ１８ｂ，１９ｂを省略した概略平面図と，図３（ａ）における操作ノブ２８（本発明における手動操作部材の一例）を省略した概略側面図。
【図４】シート搬送装置Ｘ１−２の従動ローラ１８ｂ，１９ｂを省略した概略平面図と，図４（ａ）における操作ノブ２８（本発明における手動操作部材の一例）を省略したシート搬送装置Ｘ１の概略側面図。
【図５】転写ベルト回転ローラ１７，１７の周辺部材を含み，前記従動ローラ１８ｂ，１９ｂを省略したシート搬送装置Ｘ１−３の概略平面図と，図５（ａ）におけるシート搬送装置Ｘ１−３の概略側面図。
【符号の説明】
【００２６】
Ｘ１，Ｘ１−１，Ｘ１−２，Ｘ１−３…シート搬送装置
Ｈ１，Ｈ２，Ｈ３…手動操作機構
１８…搬送ローラ対（上流側搬送ローラの一例）
１８ａ１…上流側駆動ローラ軸（上流側搬送ローラ軸の一例）
１９…レジストローラ対（下流側搬送ローラの一例）
１９ａ１…下流側駆動ローラ軸（下流側搬送ローラ軸の一例）
１９ａ２…噛合先端部
２２，２３…ワンウェイクラッチ
２４…プーリー（上流側回転部材の一例）
２５…プーリー（下流側回転部材の一例）
２６…プーリーベルト（回転連結部材の一例）
２８…操作ノブ（手動操作部材の一例）
２８ａ…歯車部（下流側回転部材の一例）
２８ｂ…噛合面
２９，３９…歯車（上流側回転部材の一例）
３０…歯車（下流側回転部材の一例）
Ｍ１，Ｍ２…駆動モータ
Ｐ…記録紙（シートの一例）
【図１】
2009161339.tif 000003
【図２】
2009161339.tif 000004
【図３】
2009161339.tif 000005
【図４】
2009161339.tif 000006
【図５】
2009161339.tif 000007